(57)【要約】【課題】  観察対象の虚像の輝度むらを抑制した虚像を形成することができる頭部装着型表示装置を提供する。【解決手段】  複数個の発光ダイオード２２からなる光源１４と、フラットパネルに画像を生成するフラットパネルディスプレイ１１と、筒形状の筐体１５とを有する出射機構１０と、接眼光学系１３とを備える頭部装着型表示装置１００であって、フラットパネルディスプレイ１１は、フラットパネルの法線方向が瞳中心方向と一致せずに傾斜するように、筐体１５の内部に固定されており、光源１４は、各発光ダイオード２２から出射される光の出射方向が瞳中心方向と一致するとともに、各発光ダイオード２２がフラットパネルからそれぞれ等しい距離となるように、筐体１５の内部に固定され、光源１４とフラットパネルディスプレイ１１との間に配置される筐体１５の内周面には、光源１４から出射される光を反射する反射板１６が形成されているようにする。【選択図】図１
2011118151.tif 000002
【特許請求の範囲】
【請求項１】
複数個の発光ダイオードからなる光源と、フラットパネルに画像を生成するフラットパネルディスプレイと、筒形状の筐体とを有し、当該筐体の内部に光源とフラットパネルディスプレイとが配置され、当該フラットパネルに表示された画像が光源から出射される光で照明されることにより、当該画像を示す画像表示光を出射する出射機構と、
観察者の眼の前方に配置される接眼光学系とを備え、
前記出射機構から出射された画像表示光が、前記接眼光学系を介して観察者の眼に導かれることにより、前記観察者の前方に観察対象の虚像を形成する頭部装着型表示装置であって、
前記フラットパネルディスプレイは、前記フラットパネルの法線方向が瞳中心方向と一致せずに傾斜するように、前記筐体の内部に固定されており、
前記光源は、各発光ダイオードから出射される光の出射方向が瞳中心方向と一致するとともに、各発光ダイオードがフラットパネルからそれぞれ等しい距離となるように、前記筐体の内部に固定され、
前記光源とフラットパネルディスプレイとの間に配置される筐体の内周面には、前記光源から出射される光を反射する反射板が形成されていることを特徴とする頭部装着型表示装置。
【請求項２】
前記複数個の発光ダイオードは、前記瞳中心方向から見ると、千鳥格子状に配置されていることを特徴とする請求項１に記載の頭部装着型表示装置。
【請求項３】
複数個の発光ダイオードは、第一の発光素子群と、第二の発光素子群とに分類され、
前記第一の発光素子群に分類された各発光ダイオードがフラットパネルからそれぞれ等しい第一距離となるように配置されるとともに、
前記第二の発光素子群に分類された各発光ダイオードがフラットパネルからそれぞれ等しい第二距離となるように配置され、
第一距離は第二距離より短くなり、
前記第一の発光素子群に分類された各発光ダイオードは、光を透過する透明基板上に形成されていることを特徴とする請求項１又は請求項２に記載の頭部装着型表示装置。
【請求項４】
前記出射機構及び接眼光学系は、観察者の頭部に装着されるヘルメットに取り付けられ、
前記接眼光学系は、曲面形状のバイザであることを特徴とする請求項１〜請求項３のいずれに記載の頭部装着型表示装置。
【発明の詳細な説明】
【技術分野】
【０００１】
本発明は、観察者により視認される画像を虚像として提供する頭部装着型表示装置に関し、例えば、ヘリコプタや航空機のパイロット、訓練用シミュレータの使用者、民生用の遊戯器や情報端末等の使用者等に、画像を提供する頭部装着型表示装置に関する。
【背景技術】
【０００２】
肉眼視では得られない外界の視覚情報を特殊カメラで取得することにより、状況に応じて肉眼視では得られない視覚情報を利用したり、肉眼視による視覚情報を利用したりするように使い分けることは有用である。例えば、航空機内や、警備や防犯・防衛等の目的をもつ用途では、ヘルメットに暗視カメラを取り付けた表示装置付ヘルメット（頭部装着型表示装置）が提案されている（例えば、特許文献１、特許文献２参照）。このような表示装置付ヘルメットによれば、暗視カメラで得られた視覚情報を、ヘルメットのバイザ（接眼光学系）に映写することができる。これにより、表示装置付ヘルメットの装着者（観察者）は、夜間等の環境下でも外界を明確に視認できるようになる。
また、消防士やレスキュー隊員が救援活動を行う目的をもつ用途では、ヘルメットに赤外線カメラを取り付けた表示装置付ヘルメット（頭部装着型表示装置）が提案されている（例えば、特許文献３参照）。このような表示装置付ヘルメットによれば、赤外線カメラで得られた視覚情報を、ヘルメットのバイザ（接眼光学系）に映写することができる。これにより、表示装置付ヘルメットの装着者（観察者）は、災害現場等の環境下でも人体を明確に視認できるようになる。
【０００３】
図９は、装着者の頭部に装着される表示装置付ヘルメット（頭部装着型表示装置）の一例を示す側面図であり、図１０は、図９に示す表示装置付ヘルメット１００の概略構成を示す平面図である。
表示装置付ヘルメット１００は、装着者Ｐの頭部に装着されるヘルメット１と、装着者Ｐの前方に配置されるバイザ（接眼光学系）１３と、ヘルメット１の左側に配置され、かつ、左眼用画像を撮影する左眼用暗視カメラ２Ｌと、ヘルメット１の右側に配置され、かつ、右眼用画像を撮影する右眼用暗視カメラ２Ｒと、装着者Ｐの左上方に配置される左眼用表示ユニット（出射機構）１１０Ｌと、装着者Ｐの右上方に配置される右眼用表示ユニット（出射機構）１１０Ｒと、左眼用暗視カメラ２Ｌと右眼用暗視カメラ２Ｒと左眼用表示ユニット１１０Ｌと右眼用表示ユニット１１０Ｒとを制御する映像信号処理部３とを備える。
【０００４】
ヘルメット１は、装着者の頭部を被うととともに、顔面が開放される半球形状である。
バイザ１３は、所定の曲面形状であり、ハーフミラーやホログラム素子等により構成される。そして、バイザ１３は、上下方向にスライド可能な状態でヘルメット１に支持されており、バイザ１３を下げると装着者Ｐの左眼ＥＬ及び右眼ＥＲの前方に配置されるようになっている。
上記バイザの曲面形状は、例えば、Ｘ軸方向に曲率１／Ｒｘの絶対値が大きくＹ軸方向に曲率１／Ｒｙの絶対値が小さくなる軸ずらしトーリック形状の凹面である。軸ずらしトーリック形状は、ＸＹＺ座標空間において下記の数式（１）で示す形状関数により特定される面において、その面の対称軸から偏心した中心を有する面で表される。
【０００５】
【数１】
2011118151.tif 000003
【０００６】
ただし、ｃｘ及びｃｙは、Ｘ軸方向及びＹ軸方向の曲率１/Ｒｘ、１/Ｒｙであり、ｋｘ及びｋｙは、Ｘ軸方向及びＹ軸方向の２次曲面係数である。
【０００７】
左眼用暗視カメラ２Ｌ及び右眼用暗視カメラ２Ｒは、取り込んだ可視光及び赤外光（例えば、６１０ｎｍ以上の波長）の光量を増幅する暗視機能を有するものである。これにより、夜間等の環境下でも、外界の赤外光を発したり反射したりする観察対象物を確認できる。
そして、左眼用暗視カメラ２Ｌ及び右眼用暗視カメラ２Ｒは、観察対象物の立体視を可能とするため、一定のカメラ間距離を隔てるようにヘルメット１の左側と右側とにそれぞれ配置されるとともに、各撮影方向（光軸）はカメラ間距離方向と垂直方向となるようにされている。
映像信号処理部３は、左眼用暗視カメラ２Ｌ及び右眼用暗視カメラ２Ｒから映像信号（視覚情報）が入力され、かつ、左眼用表示ユニット１１０Ｌ及び右眼用表示ユニット１１０Ｒに画像信号を出力する制御を行う。
【０００８】
このような表示装置付ヘルメット１００によれば、左眼用表示ユニット１１０Ｌから出射される左眼用画像表示光は、バイザ１３の反射面で反射されることにより、装着者Ｐの左眼ＥＬに導かれるとともに、右眼用表示ユニット１１０Ｒから出射される右眼用画像表示光は、バイザ１３の反射面で反射されることにより、装着者Ｐの右眼ＲＥに導かれる。その結果、装着者Ｐは、観察対象の虚像を立体的に視認できるとともに、バイザ１３を透過する光により前方実在物も視認できるようになっている。
【０００９】
ところで、バイザ１３の反射面は、一般的に上述したような所定の曲面形状であり、かつ、バイザ１３の正面には装着者Ｐの頭部が配置されるため、左眼用表示ユニット１１０Ｌから出射される左眼用画像表示光と右眼用表示ユニット１１０Ｒから出射される右眼用画像表示光とは装着者Ｐの頭部を避けるようにして、バイザ１３の反射面に投影することになるので、装着者Ｐの前方に歪のない虚像を形成するためには、非同軸光学系を構成する必要がある。
【００１０】
図５は、従来の左眼用表示ユニットの概略構成の一例を示す断面図である。図６は、図５に示す光源の斜視図である。
左眼用表示ユニット１１０Ｌは、光源１１４Ｌと、透過型フラットパネル液晶ディスプレイ１１Ｌと、四角筒形状のプラスチック製のハウジング（筐体）１１５Ｌとを有する。
四角筒形状のハウジング１１５Ｌの一端部側の内部に、光源１１４Ｌが配置され、筒形状のハウジング１１５Ｌの他端部側の内部に、光学素子群１２Ｌが配置され、そして、筒形状のハウジング１１５Ｌの中央部の内部に、透過型フラットパネル液晶ディスプレイ１１Ｌが配置されている。
【００１１】
透過型フラットパネル液晶ディスプレイ１１Ｌは、映像信号処理部３からの画像信号に基づいて、フラットパネル（例えば、１インチ）に画像を生成するものである。
ところで、表示装置付ヘルメット１００では、上述したような理由によって光学素子群１２Ｌ等で非同軸光学系を構成しているため、フラットパネルの法線方向ＢＬが瞳中心方向ＡＬに対して角度αで傾斜するように、ハウジング１１５Ｌの内部に固定されている。
【００１２】
光源１１４Ｌは、平板形状のプラスチック製の基板１２１と、複数個（例えば、６５個）の発光ダイオード２２とを有する。基板１２１の上面（ＸＹ面）には、複数個の発光ダイオード２２が２次元的に千鳥格子状に配置されている。各発光ダイオード２２は、ＸＹ面と垂直となる方向（Ｚ方向）に光を出射する。なお、各発光ダイオード２２から出射される光については、中心部から前方方向（発光ダイオードの光軸）で発光強度が強く、周辺部へいくにつれて発光強度が弱くなる。
そして、光源１１４Ｌは、Ｚ方向が瞳中心方向ＡＬと一致するように、ハウジング１５Ｌの内部に固定される。これにより、フラットパネルに表示された画像を照明する。このとき、Ｚ方向が瞳中心方向ＡＬと一致しているので、高輝度な左眼用画像表示光が装着者Ｐの左眼ＥＬに導かれることになる。
なお、右眼用表示ユニット１１０Ｒも、左眼用表示ユニット１１０Ｌと同様な構造をしている。
【先行技術文献】
【特許文献】
【００１３】
【特許文献１】特開平９−１８８９１１号公報
【特許文献２】特表２００１−５１５１５０号公報
【特許文献３】特開平８−０５４２８２号公報
【発明の概要】
【発明が解決しようとする課題】
【００１４】
しかしながら、上述したような左眼用表示ユニット１１０Ｌでは、高輝度な左眼用画像表示光が装着者Ｐの左眼ＥＬに導かれるが、輝度むらがある左眼用画像表示光が装着者Ｐの左眼ＥＬに導かれることになった。具体的には、フラットパネルの上端部と発光ダイオード２２との距離は遠いため、観察対象の虚像の上端部の輝度が低く、かつ、フラットパネルの下端部と発光ダイオード２２との距離は近いため、観察対象の虚像の下端部の輝度が高くなった。
そこで、本出願人は、観察対象の虚像の輝度むらを抑制することができる左眼用表示ユニットを開発した。図７は、左眼用表示ユニットの概略構成の一例を示す断面図である。なお、左眼用表示ユニット１１０Ｌと同様のものについては、同じ符号を付している。
【００１５】
左眼用表示ユニット１３０Ｌでは、各発光ダイオード２２から出射される光の出射方向は、瞳中心方向ＡＬと一致し、各発光ダイオード２２が透過型フラットパネル液晶ディスプレイ１１Ｌからそれぞれ等しい距離Ｌ１となるように、ハウジング１１５Ｌの内部に固定されている。これにより、フラットパネルに表示された画像を照明する。このとき、各発光ダイオード２２から出射される光の出射方向は、瞳中心方向ＡＬと一致する。つまり、高輝度な左眼用画像表示光が装着者Ｐの左眼ＥＬに導かれることになる。さらに、各発光ダイオード２２がフラットパネルからそれぞれ等しい距離Ｌ１となるように配置されている。つまり、観察対象の虚像の上端部の輝度と下端部の輝度とが等しくなるように、輝度むらが抑制された左眼用画像表示光が装着者Ｐの左眼ＥＬに導かれることになる。
【００１６】
しかし、左眼用表示ユニット１３０Ｌでは、左眼用表示ユニット１１０Ｌと比較して、観察対象の虚像の輝度むらを抑制した左眼用画像表示光が装着者Ｐの左眼ＥＬに導かれてはいるが、観察対象の虚像の周縁部の輝度が低く、かつ、観察対象の虚像の中央部の輝度が高くなるという輝度むらが発生した。
【課題を解決するための手段】
【００１７】
本件発明者らは、上記課題を解決するために、観察対象の虚像の輝度むらを抑制する方法について検討を行った。発光ダイオードから出射される光については、ある拡がり角（例えば、１２０°）で光が拡散する。そこで、各発光ダイオードがフラットパネルからそれぞれ等しい距離となるように配置した上で、ハウジングの内周面に、光を反射する反射板を形成することにより、観察対象の虚像の周縁部の輝度を高くすることを見出した。
【００１８】
すなわち、本発明の頭部装着型表示装置は、複数個の発光ダイオードからなる光源と、フラットパネルに画像を生成するフラットパネルディスプレイと、筒形状の筐体とを有し、当該筐体の内部に光源とフラットパネルディスプレイとが配置され、当該フラットパネルに表示された画像が光源から出射される光で照明されることにより、当該画像を示す画像表示光を出射する出射機構と、観察者の眼の前方に配置される接眼光学系とを備え、前記出射機構から出射された画像表示光が、前記接眼光学系を介して観察者の眼に導かれることにより、前記観察者の前方に観察対象の虚像を形成する頭部装着型表示装置であって、前記フラットパネルディスプレイは、前記フラットパネルの法線方向が瞳中心方向と一致せずに傾斜するように、前記筐体の内部に固定されており、前記光源は、各発光ダイオードから出射される光の出射方向が瞳中心方向と一致するとともに、各発光ダイオードがフラットパネルからそれぞれ等しい距離となるように、前記筐体の内部に固定され、前記光源とフラットパネルディスプレイとの間に配置される筐体の内周面には、前記光源から出射される光を反射する反射板が形成されているようにしている。
【００１９】
ここで、「発光ダイオードから出射される光の出射方向」とは、発光ダイオードの中心部から出射される光の方向のことをいう。なお、発光ダイオードから出射される光については、ある拡がり角（例えば、１２０°）で光が拡散するが、そのうち発光ダイオードの中心部から出射される光の方向、すなわち発光ダイオードの光軸のことをいう。
また、「瞳中心方向」とは、左眼若しくは右眼の中心とフラットパネルディスプレイとを、光学素子等を介しながら通る光線のことをいう。よって、瞳中心方向は光学素子等で反射されたり光学素子等を通過したりすることにより、折れ線となる。
【００２０】
本発明の頭部装着型表示装置によれば、各発光ダイオードから出射される光の出射方向は、瞳中心方向と一致する。つまり、高輝度な画像表示光が観察者の眼に導かれる。さらに、複数個の発光ダイオードは、各発光ダイオードがフラットパネルからそれぞれ等しい距離となるように配置されている。つまり、観察対象の虚像の上端部の輝度と下端部の輝度とが等しくなるように、輝度むらが抑制された画像表示光が観察者の眼に導かれる。
そして、発光ダイオードから出射される光については、ある拡がり角で光が拡散するが、各発光ダイオードがフラットパネルからそれぞれ等しい距離となるように配置された上で、筐体の内周面に反射板が形成されているので、反射板で反射した光がフラットパネルの周縁部に照射されるようになっている。その結果、観察対象の虚像の周縁部の輝度が高くなるように、輝度むらが抑制された画像表示光が観察者の眼に導かれる。
【発明の効果】
【００２１】
以上のように、本発明の頭部装着型表示装置によれば、観察者は観察対象の虚像を、高輝度かつ輝度むらが軽減されて視認できる。
【００２２】
（他の課題を解決するための手段および効果）
また、本発明の頭部装着型表示装置は、前記複数個の発光ダイオードは、前記瞳中心方向から見ると、千鳥格子状に配置されているようにしてもよい。
ここで、「千鳥格子状に配置されている」とは、行方向にも列方向にも発光ダイオードが存在するか存在しないかが交互となるように配置されることをいい、市松模様ともいう。
【００２３】
また、本発明の頭部装着型表示装置は、複数個の発光ダイオードは、第一の発光素子群と、第二の発光素子群とに分類され、前記第一の発光素子群に分類された各発光ダイオードがフラットパネルからそれぞれ等しい第一距離となるように配置されるとともに、前記第二の発光素子群に分類された各発光ダイオードがフラットパネルからそれぞれ等しい第二距離となるように配置され、第一距離は第二距離より短くなり、前記第一の発光素子群に分類された各発光ダイオードは、光を透過する透明基板上に形成されているようにしてもよい。
そして、本発明の頭部装着型表示装置は、前記出射機構及び接眼光学系は、観察者の頭部に装着されるヘルメットに取り付けられ、前記接眼光学系は、曲面形状のバイザであるようにしてもよい。
【図面の簡単な説明】
【００２４】
【図１】本発明の左眼用表示ユニットの概略構成の一例を示す断面図である。
【図２】図１に示す光源の斜視図である。
【図３】装着者の頭部に装着される表示装置付ヘルメットの一例を示す側面図である。
【図４】図３に示す表示装置付ヘルメットの概略構成を示す平面図である。
【図５】従来の左眼用表示ユニットの概略構成の一例を示す断面図である。
【図６】図５に示す光源の斜視図である。
【図７】左眼用表示ユニットの概略構成の他の一例を示す断面図である。
【図８】左眼用表示ユニットの概略構成の他の一例を示す断面図である。
【図９】装着者の頭部に装着される表示装置付ヘルメットの一例を示す側面図である。
【図１０】図９に示す表示装置付ヘルメットの概略構成を示す平面図である。
【発明を実施するための形態】
【００２５】
以下、本発明の実施形態について図面を用いて説明する。なお、本発明は、以下に説明するような実施形態に限定されるものではなく、本発明の趣旨を逸脱しない範囲で種々の態様が含まれることはいうまでもない。
【００２６】
（第一の実施形態）
図３は、装着者の頭部に装着される表示装置付ヘルメット（頭部装着型表示装置）の一例を示す側面図であり、図４は、図３に示す表示装置付ヘルメットの概略構成を示す平面図である。なお、左眼用表示ユニット１１０Ｌと同様のものについては、同じ符号を付している。
表示装置付ヘルメット１００は、装着者Ｐの頭部に装着されるヘルメット１と、装着者Ｐの前方に配置されるバイザ（接眼光学系）１３と、ヘルメット１の左側に配置され、かつ、左眼用画像を撮影する左眼用暗視カメラ２Ｌと、ヘルメット１の右側に配置され、かつ、右眼用画像を撮影する右眼用暗視カメラ２Ｒと、装着者Ｐの左上方に配置される左眼用表示ユニット（出射機構）１０Ｌと、装着者Ｐの右上方に配置される右眼用表示ユニット（出射機構）１０Ｒと、左眼用暗視カメラ２Ｌと右眼用暗視カメラ２Ｒと左眼用表示ユニット１０Ｌと右眼用表示ユニット１０Ｒとを制御する映像信号処理部３とを備える。
【００２７】
図１は、左眼用表示ユニットの概略構成の一例を示す断面図である。図２は、図１に示す光源の斜視図である。
左眼用表示ユニット１０Ｌは、光源１４Ｌと、透過型フラットパネル液晶ディスプレイ１１Ｌと、観察対象の虚像におけるぼけや歪みを小さくする光学素子群１２Ｌと、四角筒形状のプラスチック製のハウジング（筐体）１５Ｌとを有する。
【００２８】
四角筒形状のハウジング１５Ｌの一端部側の内部に、光源１４Ｌが配置され、筒形状のハウジング１５Ｌの他端部側の内部に、光学素子群１２Ｌが配置され、そして、筒形状のハウジング１５Ｌの中央部の内部に、透過型フラットパネル液晶ディスプレイ１１Ｌが配置されている。
そして、四角筒形状のハウジング１５Ｌの一端部側から中央部の間（光源１４Ｌと透過型フラットパネル液晶ディスプレイ１１Ｌとの間）の内周面に、反射板１６Ｌが形成されている。反射板１６Ｌは、光を反射するものである。
上記反射板としては、例えば、鏡等が挙げられる。
【００２９】
光源１４Ｌは、Ｚ方向に突出ていくような階段形状（例えば、５段の階段形状）のプラスチック製の基板２１と、複数個（例えば、６５個）の発光ダイオード２２とを有する。
基板２１の第１段面（ＸＹ面）には、複数個（例えば、１３個）の発光ダイオード２２が２次元的に２列に配置されており、第２段面（ＸＹ面）には、複数個（例えば、１３個）の発光ダイオード２２が２次元的に２列に配置されるように、各段面（ＸＹ面）には、複数個（例えば、１３個）の発光ダイオード２２が２次元的に２列に配置されている。このとき、複数個（例えば、６５個）の発光ダイオード２２は、瞳中心方向ＡＬから見ると、千鳥格子状に配置されている。また、各発光ダイオード２２は、ＸＹ面と垂直となる方向（Ｚ方向）に光を出射する。
【００３０】
そして、光源１４Ｌは、Ｚ方向が瞳中心方向ＡＬと一致するとともに、各発光ダイオード２２がフラットパネルからそれぞれ等しい距離Ｌ１となるように、ハウジング１５Ｌに固定される。これにより、フラットパネルに表示された画像を照明する。このとき、Ｚ方向が瞳中心方向ＡＬと一致しているので、高輝度な左眼用画像表示光が装着者Ｐの左眼ＥＬに導かれることになる。さらに、複数個（例えば、６５個）の発光ダイオード２２は、各発光ダイオード２２がフラットパネルからそれぞれ等しい距離Ｌ１となるように配置されているので、観察対象の虚像の上端部の輝度と下端部の輝度とが等しくなるように、輝度むらがない左眼用画像表示光が装着者Ｐの左眼ＥＬに導かれることになる。
【００３１】
また、発光ダイオード２２から出射される光については、ある拡がり角（例えば、１２０°）で光が拡散するが、複数個の発光ダイオード２２が、各発光ダイオード２２がフラットパネルからそれぞれ等しい距離Ｌ１となるように配置されているので、ハウジング１５Ｌの内周面に反射板１６Ｌが形成されていることで、反射板１６Ｌで反射された光がフラットパネルの周縁部に照射されるようになっている。その結果、観察対象の虚像の周縁部の輝度が高くなるように、輝度むらが抑制された左眼用画像表示光が装着者Ｐの左眼ＥＬに導かれることになる。
【００３２】
なお、右眼用表示ユニット１０Ｒも、左眼用表示ユニット１０Ｌと同様な構造をしている。
以上のように、本発明の表示装置付ヘルメット１００によれば、装着者Ｐは観察対象の虚像を、高輝度かつ輝度むらが軽減されて視認できる。
【００３３】
（第二の実施形態）
上述した表示装置付ヘルメット１００では、左眼用表示ユニット１０Ｌを用いる構成を示したが、下述する左眼用表示ユニット３０Ｌを用いるような構成としてもよい。図８は、左眼用表示ユニットの概略構成の一例を示す断面図である。
左眼用表示ユニット３０Ｌは、光源３４Ｌと、透過型フラットパネル液晶ディスプレイ１１Ｌと、観察対象の虚像におけるぼけや歪みを小さくする光学素子群１２Ｌと、四角筒形状のプラスチック製のハウジング（筐体）１５Ｌとを有する。なお、左眼用表示ユニット１０Ｌと同様のものについては、同じ符号を付している。
【００３４】
四角筒形状のハウジング１５Ｌの一端部側の内部に、光源３４Ｌが配置され、筒形状のハウジング１５Ｌの他端部側の内部に、光学素子群１２Ｌが配置され、そして、筒形状のハウジング１５Ｌの中央部の内部に、透過型フラットパネル液晶ディスプレイ１１Ｌが配置されている。
そして、四角筒形状のハウジング１５Ｌの一端部側から中央部の間（第二の光源４０Ｌと透過型フラットパネル液晶ディスプレイ１１Ｌとの間）の内周面に、反射板１６Ｌが形成されている。
【００３５】
光源３４Ｌは、第一の光源５０Ｌと、第二の光源４０Ｌとを有する。
第一の光源５０Ｌは、Ｚ方向に突出ていくような階段形状（例えば、５段の階段形状）の透明基板３１と、複数個（例えば、６５個）の発光ダイオード（第一の発光素子群）２２とを有する。透明基板３１は、光を透過するものである。
透明基板３１の第１段面（ＸＹ面）には、複数個（例えば、１３個）の発光ダイオード２２が２次元的に２列に配置されており、第２段面（ＸＹ面）には、複数個（例えば、１３個）の発光ダイオード２２が２次元的に２列に配置されるように、各段面（ＸＹ面）には、複数個（例えば、１３個）の発光ダイオード２２が２次元的に２列に配置されている。このとき、複数個（例えば、６５個）の発光ダイオード２２は、瞳中心方向ＡＬから見ると、千鳥格子状に配置されている。また、各発光ダイオード２２は、ＸＹ面と垂直となる方向（Ｚ方向）に光を出射する。
上記透明基板の材質としては、例えば、透明なプラスチック等が挙げられる。
【００３６】
第二の光源４０Ｌは、Ｚ方向に突出ていくような階段形状（例えば、５段の階段形状）のプラスチック製の基板２１と、複数個（例えば、６５個）の発光ダイオード（第二の発光素子群）２２とを有する。
基板２１の第１段面（ＸＹ面）には、複数個（例えば、１３個）の発光ダイオード２２が２次元的に２列に配置されており、第２段面（ＸＹ面）には、複数個（例えば、１３個）の発光ダイオード２２が２次元的に２列に配置されるように、各段面（ＸＹ面）には、複数個（例えば、１３個）の発光ダイオード２２が２次元的に２列に配置されている。このとき、複数個（例えば、６５個）の発光ダイオード２２は、瞳中心方向ＡＬから見ると、千鳥格子状に配置されている。また、各発光ダイオード２２は、ＸＹ面と垂直となる方向（Ｚ方向）に光を出射する。
【００３７】
そして、第一の光源５０Ｌは、Ｚ方向が瞳中心方向ＡＬと一致するとともに、各発光ダイオード２２がフラットパネルからそれぞれ等しい第一距離Ｌ１となるように、ハウジング１５Ｌに固定される。また、第二の光源４０Ｌは、Ｚ方向が瞳中心方向ＡＬと一致するとともに、各発光ダイオード２２がフラットパネルからそれぞれ等しい第二距離Ｌ２となるように、ハウジング１５Ｌに固定される。なお、第一距離Ｌ１は第二距離Ｌ２より短くなっている。このとき、第二の光源４０Ｌから出射される光は、第一の光源５０Ｌに照射されることになるが、第一の光源５０Ｌの透明基板３１を透過することで、フラットパネルに到達するようになっている。
【００３８】
これにより、フラットパネルに表示された画像を照明する。このとき、第一の光源５０Ｌと第二の光源４０ＬとのＺ方向が瞳中心方向ＡＬと一致しているので、高輝度な左眼用画像表示光が装着者Ｐの左眼ＥＬに導かれることになる。
さらに、第一の光源５０Ｌの各発光ダイオード２２がフラットパネルからそれぞれ等しい第一距離Ｌ１となるように配置されるとともに、第二の光源４０Ｌの各発光ダイオード２２がフラットパネルからそれぞれ等しい第二距離Ｌ２となるように配置されているので、観察対象の虚像の上端部の輝度と下端部の輝度とが等しくなるように、輝度むらがない左眼用画像表示光が装着者Ｐの左眼ＥＬに導かれることになる。
【００３９】
また、発光ダイオード２２から出射される光については、ある拡がり角（例えば、１２０°）で光が拡散するが、第一の光源５０Ｌの各発光ダイオード２２がフラットパネルからそれぞれ等しい第一距離Ｌ１となるように配置されるとともに、第二の光源４０Ｌの各発光ダイオード２２がフラットパネルからそれぞれ等しい第二距離Ｌ２となるように配置されているので、ハウジング１５Ｌの内周面に反射板１６Ｌが形成されていることで、反射板１６Ｌで反射された光がフラットパネルの周縁部に照射されるようになっている。その結果、観察対象の虚像の周縁部の輝度が高くなるように、輝度むらが抑制された左眼用画像表示光が装着者Ｐの左眼ＥＬに導かれることになる。
【００４０】
以上のように、本発明の表示装置付ヘルメットによれば、装着者Ｐは観察対象の虚像を、高輝度かつ輝度むらが軽減されて視認できる。
なお、上記画像表示光を装着者の片方の眼に導くようにしてもよく、上記バイザの反射面は、全反射ミラーにより構成されてもよい。
【産業上の利用可能性】
【００４１】
本発明は、観察者により視認される画像を虚像として提供する頭部装着型表示装置に利用することができる。
【符号の説明】
【００４２】
１０Ｌ、１０Ｒ、３０Ｌ、１１０Ｌ、１３０Ｌ  表示ユニット（出射機構）
１１Ｌ、１１Ｒ  透過型フラットパネル液晶ディスプレイ
１３  バイザ（接眼光学系）
１４Ｌ、１４Ｒ、３４Ｌ、１１４Ｌ、１１４Ｒ  光源
１５Ｌ  ハウジング（筐体）
１６Ｌ  反射板
２２  発光ダイオード
１００  表示装置付ヘルメット（頭部装着型表示装置）
ＡＬ  瞳中心方向
ＢＬ  法線方向
ＥＬ  眼
Ｐ  装着者（観察者）
【図１】
2011118151.tif 000004
【図３】
2011118151.tif 000005
【図４】
2011118151.tif 000006
【図５】
2011118151.tif 000007
【図６】
2011118151.tif 000008
【図７】
2011118151.tif 000009
【図８】
2011118151.tif 000010
【図９】
2011118151.tif 000011
【図１０】
2011118151.tif 000012
【図２】
2011118151.tif 000013